(57)【要約】【課題】  リモコンを保持した保持部を室内壁面の任意の位置に設置できるようにするとともに、この保持部を室内壁面から取り外して卓上に立てる姿勢で設置できるようにしたリモコンホルダを提供する。【解決手段】  リモコンを着脱可能に保持する保持部３と、室内壁面に固着されて前記保持部３を着脱可能に取り付ける取付部と、前記保持部３を卓上Ｂに所定の角度を有して立てるように設置する脚部５とを備えてなる構成にした。これにより、リモコンホルダ２が卓上Ｂの新聞紙や雑誌に埋もれてしまうということがなくなり、取り扱いやすく便利になる。【選択図】  図４
2007174259.tif 000002
【特許請求の範囲】
【請求項１】
リモコンを着脱可能に保持する保持部と、室内壁面に固着されて前記保持部を着脱可能に取り付ける取付部と、前記保持部を卓上に立てるように設置する脚部とを備えてなることを特徴とするリモコンホルダ。
【請求項２】
前記取付部が、前記保持部の背面に設けられた係止穴に係止する係止爪を備えてなることを特徴とする請求項１に記載のリモコンホルダ。
【請求項３】
前記脚部が、前記保持部の背面に設けられた凹部に出し入れ可能に収容されてなることを特徴とする請求項１に記載のリモコンホルダ。
【請求項４】
前記保持部を卓上に設置した際、前記脚部は、前記リモコンの発信部が斜め上方に向くように構成されてなることを特徴とする請求項１に記載のリモコンホルダ。
【発明の詳細な説明】
【技術分野】
【０００１】
本発明は、リモコンホルダに係わり、より詳細には、リモコンを保持した保持部を室内壁面に着脱可能に設置できるとともに、室内壁面から容易に取り外して卓上に立てる姿勢で設置できるようにした構造に関する。
【背景技術】
【０００２】
従来のリモコンホルダ（遠隔操作装置の収納保持具）は、壁掛け形や卓上（テーブル）形の何れにも使用できるようにしたものとして、保持（ポケット）部を下端に有する平板状の取付け板を、薄肉のヒンジ部を境にして上部脚板と、上記保持（ポケット）部と一連の下部延長板部とに割成し、この下部延長板部の両側縁には、その下端に設けた薄肉ヒンジ部で、それぞれ起倒自在に連結され、かつこれらの折曲げ状態で、上記上部脚板部の両側縁を、その所定の折曲げ状態に係止する左右一対の切離し保持片をそれぞれ付設させた構成でなるものが開示されていた（例えば、特許文献１参照。）。
【０００３】
しかしながら、上述したリモコンホルダ（遠隔操作装置の収納保持具）は、特許文献１に添付されている第４図に示すように、取付け板の穴を通したねじによって室内壁面に固着された構成になっていることから、室内壁面から取り外すには、一旦室内壁面に締め込んだねじを取り去ることによって取り外す必要があるため容易ではなかった。
【０００４】
また、一旦締め込んだねじを取り去る必要があって、室内壁面にねじ穴を残すことになるため、取り外しが面倒であり、また、室内の一部を損傷させてインテリアを損ねてしまうという問題点を有していた。
【０００５】
【特許文献１】実公平２−３４８５７号公報（第１図乃至第５図）
【発明の開示】
【発明が解決しようとする課題】
【０００６】
そこで、本発明は上述した課題を解決するためになされたものであって、その目的は、リモコンを保持した保持部を室内壁面に着脱可能に設置できるとともに、この保持部を室内壁面から容易に取り外して卓上に立てる姿勢で設置できるようにしたリモコンホルダを提供することにある。
【課題を解決するための手段】
【０００７】
上述した目的を達成するため、本発明は以下に示す特徴を備えている。
リモコンを着脱可能に保持する保持部と、室内壁面に固着されて前記保持部を着脱可能に取り付ける取付部と、前記保持部を卓上に立てるように設置する脚部とを備えてなることを特徴としている。
【０００８】
また、前記取付部が、前記保持部の背面に設けられた係止穴に係止する係止爪を備えてなることを特徴としている。
【０００９】
また、前記脚部が、前記保持部の背面に設けられた凹部に出し入れ可能に収容されてなることを特徴としている。
【００１０】
また、前記保持部を卓上に設置した際、前記脚部は、前記リモコンの発信部が斜め上方に向くように構成されてなることを特徴としている。
【発明の効果】
【００１１】
本発明によれば、リモコンを着脱可能に保持する保持部と、室内壁面に固着されて前記保持部を着脱可能に取り付ける取付部と、前記保持部を卓上に立てるように設置する脚部とを備えてなる構成にしたので、リモコンを着脱可能に保持した前記保持部を室内壁面に着脱可能に設置できるとともに、室内壁面から容易に取り外しできるようにした前記保持部を卓上に立てるような姿勢で設置することにより、同保持部に保持されたリモコンが、卓上に置かれる新聞紙や雑誌などに埋もれてしまわないようにしたリモコンホルダを提供できる。
【発明を実施するための最良の形態】
【００１２】
次に、本発明の実施形態について図面を参照しながら説明する。
図１は本発明によるリモコンホルダの実施例１を示す説明図で、（Ａ）はリモコンを保持する保持部を正面側から見た斜視図、（Ｂ）は保持部を取り付ける取付部を正面側から見た斜視図であり、図２は本発明によるリモコンホルダの実施例１を示す説明図で、（Ａ）はリモコンを保持する保持部を背面側から見た斜視図、（Ｂ）は保持部を取り付ける取付部を背面側から見た斜視図であり、図３は本発明によるリモコンホルダの実施例１を示す説明図で、（Ａ）は取付部に保持部を取り付ける状態を示す断面図、（Ｂ）は取付部に保持部を取り付けた状態を示す断面図、（Ｃ）は取付部に保持部を取り付けた状態を示す斜視図、（Ｄ）は保持部でリモコンを保持した状態を示す斜視図であり、図４は本発明によるリモコンホルダの保持部を卓上に立てるように設置する実施例１を示す説明図で、（Ａ）は保持部の背面下部から脚部を引き出す前の状態を示す断面図、（Ｂ）は保持部の背面下部から脚部を引き出した状態を示す断面図、（Ｃ）は保持部を卓上に立てるように設置した状態を示す正面側から見た斜視図、（Ｄ）は保持部を卓上に立てるように設置した状態を背面側から見た斜視図であり、図５は本発明によるリモコンホルダの保持部を卓上に立てるように設置してリモコンを保持した実施例１を示す説明図で、（Ａ）は正面側から見た斜視図、（Ｂ）は背面側から見た斜視図であり、図６は本発明によるリモコンホルダの保持部を卓上に立てるように設置する実施例２を示す説明図で、（Ａ）は保持部の背面下部から脚部を引き出す前の状態を示す断面図、（Ｂ）は保持部の背面下部から脚部を引き出した状態を示す断面図、（Ｃ）は保持部を卓上に立てるように設置した状態を示す正面側から見た斜視図、（Ｄ）は保持部を卓上に立てるように設置した状態を背面側から見た斜視図であり、図７は本発明によるリモコンホルダの保持部を卓上に立てるように設置してリモコンを保持した実施例２を示す説明図で、（Ａ）は正面側から見た斜視図、（Ｂ）は背面側から見た斜視図であり、図８は本発明によるリモコンホルダの保持部を卓上に立てるように設置する実施例３を示す説明図で、（Ａ）は保持部の背面下部から脚部を引き出す前の状態を示す断面図、（Ｂ）は保持部の背面下部から脚部を引き出した状態を示す断面図、（Ｃ）は保持部を卓上に立てるように設置した状態を示す正面側から見た斜視図、（Ｄ）は保持部を卓上に立てるように設置した状態を背面側から見た斜視図であり、図９は本発明によるリモコンホルダの保持部を卓上に立てるように設置してリモコンを保持した実施例３を示す説明図で、（Ａ）は正面側から見た斜視図、（Ｂ）は背面側から見た斜視図であり、図１０は本発明によるリモコンホルダの保持部を卓上に立てるように設置する実施例４を示す説明図で、（Ａ）は正面側から見た斜視図、（Ｂ）はリモコンを保持した状態を示す斜視図であり、図１１は本発明によるリモコンホルダの保持部を卓上に立てるように設置する実施例５を示す説明図で、（Ａ）は保持部の背面下部から脚部を引き出す前の状態を示す断面図、（Ｂ）は保持部の背面下部から脚部を引き出した状態を示す断面図、（Ｃ）は保持部を卓上に立てるように設置した状態を示す正面側から見た斜視図、（Ｄ）は保持部を卓上に立てるように設置した状態を背面側から見た斜視図であり、図１２は本発明によるリモコンホルダの保持部を卓上に立てるように設置してリモコンを保持した実施例５を示す説明図で、（Ａ）は正面側から見た斜視図、（Ｂ）は背面側から見た斜視図であり、図１３は卓上に所定の角度を有して立てるように設置したリモコンの使用状態を示す斜視図である。
【００１３】
本発明によるリモコンホルダ２は、図に示すように、開放した上部から挿入したリモコン１をスライドさせながら着脱可能に保持する保持部３と、同保持部３の背面3aに設けられた係止穴3bに係脱可能に係止する係止爪4aを備えることにより、室内壁面Ａに固着されて前記保持部３を着脱可能に取り付ける取付部４と、前記保持部３を卓上Ｂに所定の角度を有して立てるように設置するための脚部５とを備えてなることを特徴としている。
【００１４】
前記リモコン１は、その外周面にはスライド溝1aが設けられており、同スライド溝1aに対応して前記保持部３に突設されたガイド６および突片6aによってスライド可能に、且つ着脱可能に保持されるようになっており、先端部には、後述する空気調和機８の受信部９に向けて信号を発信する発信部1bが設けられている。
【００１５】
前記取付部４は、室内壁面Ａに固着するための取付孔4bを備え、同取付孔4bを通したねじ７により室内壁面Ａの任意の位置に固着されており、前記係止爪4aを前記係止穴3bに係脱可能に係止することによって、前記リモコン１を保持した前記リモコンホルダ２を着脱可能に取り付けるようになっている。
【００１６】
前記脚部５は、前記保持部３の係止穴3bの下部に設けられた凹部3cに出し入れ可能に収容されるようになっており、前記保持部３を前記取付部４によって室内壁面Ａに取り付けるときには前記凹部3cに収容された状態になり、室内壁面Ａに固着された前記取付部４から取り外した前記保持部３を卓上Ｂに所定の角度を有して立てるように設置するときには、その一部が前記凹部3cから引き出されるようになっている。
【００１７】
前記保持部３は、前記取付部４によって室内壁面Ａの任意の位置に着脱可能に取り付けられることで、所在が明らかになって同保持部３に保持されたリモコンの使い勝手がよくなる一方、前記取付部４から取り外した際、前記脚部５の一部が前記凹部3cから引き出されることによって卓上Ｂに、所定の角度を有して立てた状態で設置できるようになっている。
【００１８】
これによって、前記リモコンホルダ２は、例えば卓上Ｂに置かれた新聞紙や雑誌などに埋もれて所在が不明になってしまうというおそれがなくなり、また、同保持部３に保持されて卓上Ｂに所定の角度を有して立てた姿勢の前記リモコン１は、図１３に示すように、同リモコン１の発信部1bを室内壁面に壁掛け設置された空気調和機８の受信部９に向けた状態で設置されることになって、操作がしやすくなるという効果を奏することになる。
【実施例１】
【００１９】
次に、前記リモコンホルダ２が室内壁面Ａに取り付けられる動作について、前記取付部４により前記保持部３が壁掛設置される手順と、前記リモコン１が前記保持部３に保持される手順とを、実施例１として示す図３（Ａ）乃至図３（Ｄ）に基づいて以下に説明をする。
【００２０】
前記リモコンホルダ２の保持部３は、室内壁面Ａの任意の位置に固着された前記取付部４に対し、図３（Ａ）に示す矢印のように、水平状に移動させながら前記係止穴3bに前記係止爪4aが挿入されたのち、下方に移動させながら、図３（Ｂ）に示すように、同係止爪4aが前記背面3aの内側に係止されることによって、前記脚部５が前記凹部3cに収容された状態で室内壁面Ａに対しほぼ隙間なく着脱可能に取り付けられる。
【００２１】
また、前記保持部３は、図３（Ｃ）および図３（Ｄ）に示すように、前部が開放されるとともに、前記リモコン１がスライド可能に出し入れできるように上部も開放されており、開放された前部両側の上端には、前記リモコン１の外周面に設けられたスライド溝1aに対応するガイド６が突設され、また、開放された前部の下端には、前記スライド溝1aに対応して前記リモコン１の下端部をガタつきなく保持する突片6aが突設された構成になっており、これによって、前記リモコン１が前記保持部３の上部から挿入され、同リモコン１の両側部が前記ガイド６に沿ってスライドして、同リモコン１の下部が前記突片6 によりガタつきなく保持される。
【００２２】
なお、前記リモコン１が、前記スライド溝1aに対応する前記保持部３のガイド６および突片6aによってスライドし保持された際、前記保持部３は前記リモコン１の上部を突出させる上下寸法ａであって、前記リモコン１の背面から前記スライド溝1aまでの奥行き（厚さ）に対応する前後寸法ｂで形成されることによって小型化を実現できるようになり、また、前記リモコン１は、その上部両側および前部両側に手指を掛けることができて、前記保持部３に対する取り付けや取り外しがしやすくなる。
【００２３】
また、上記構成でなるリモコンホルダ２が、室内壁面Ａから取り外されて卓上Ｂに所定の角度を有して立てた姿勢で設置される動作について、前記凹部3cから前記脚部５の一部が引き出される手順と、卓上設置される手順とを、実施例１として示す図４（Ａ）乃至図４（Ｄ）に基づいて以下に説明をする。
【００２４】
室内壁面Ａから取り外された前記リモコンホルダ２は、図４（Ａ）および図４（Ｂ）に示すように、前記脚部５を枢支部5aを中心に回動させ、同脚部５の一部を前記凹部3cから引き出して所定の角度に位置決めして、その先端を卓上Ｂに当接させることによって所定の角度を有して立てた姿勢で卓上Ｂに支持される。
【００２５】
なお、前記脚部５は、収容時は図４（Ａ）に示すように、前記凹部3cに収容された状態で保持され、また、図４（Ｂ）に示すように、前記リモコンホルダ２を卓上Ｂに所定の角度を有して立てた姿勢に支持した状態で位置決めされている。
【００２６】
卓上Ｂに設置された前記リモコンホルダ２は、図４（Ｃ）および図４（Ｄ）に示す斜視図のように、卓上Ｂに対し所定の角度を有して設置されることにより、上述したように、卓上Ｂに置かれた新聞紙や雑誌などに埋もれて所在が不明になってしまうというおそれがなくなり、図５（Ａ）および図５（Ｂ）に示すような前記リモコン１は、斜め上方から視認しやすくなったり、また、前記リモコンホルダ２から取り外して容易に操作できるようになったり、図１３に基づいて上述したように、前記リモコンホルダ２の保持部３に保持されて卓上Ｂに立てた姿勢のまま、前記空気調和機８の受信部９に向けて操作しやすくなる。
【実施例２】
【００２７】
次に、上記構成でなるリモコンホルダ２が、室内壁面Ａから取り外されて卓上Ｂに所定の角度を有して立てた姿勢で設置される動作について、前記凹部3cから前記脚部５の一部が引き出される手順と、卓上設置される手順とを実施例２として示す図６（Ａ）乃至図６（Ｄ）に基づいて以下に説明をする。
【００２８】
室内壁面Ａから取り外された前記リモコンホルダ２は、図６（Ａ）および図６（Ｂ）に示すように、実施例１の場合と同様に前記脚部５を枢支部5aを中心に回動させ、同脚部５の一部を前記凹部3cから引き出して所定の角度に位置決めして、その先端を卓上Ｂに当接させることによって所定の角度に立てた姿勢で卓上Ｂに支持される。
【００２９】
なお、前記脚部５は、収容時は図６（Ａ）に示すように、前記凹部3cに収容された状態で保持され、また、図６（Ｂ）に示すように、前記リモコンホルダ２を卓上Ｂに所定の角度を有して立てた姿勢に支持した状態で位置決めされている。
【００３０】
卓上Ｂに設置された前記リモコンホルダ２は、図６（Ｃ）および図６（Ｄ）に示す斜視図のように、実施例１の場合と同様に卓上Ｂに対し所定の角度を有して設置されることになり、上述したように、卓上Ｂに置かれた新聞紙や雑誌などに埋もれて所在が不明になってしまうというおそれがなくなり、図７（Ａ）および図７（Ｂ）に示すような前記リモコン１が、斜め上方から視認しやすくなったり、また、前記リモコンホルダ２から取り外して容易に操作できるようになったり、図１３に基づいて上述したように、前記リモコンホルダ２の保持部３に保持されて卓上Ｂに立てた姿勢のまま、前記空気調和機８の受信部９に向けて操作しやすくなる。
【実施例３】
【００３１】
次に、上記構成でなるリモコンホルダ２が、室内壁面Ａから取り外されて卓上Ｂに所定の角度を有して立てた姿勢で設置される動作について、前記凹部3cから前記脚部５の一部が引き出される手順と、卓上設置される手順とを実施例３として示す図８（Ａ）乃至図８（Ｄ）に基づいて以下に説明をする。
【００３２】
室内壁面Ａから取り外された前記リモコンホルダ２は、図８（Ａ）および図８（Ｂ）に示すように、前記凹部3cに収容されている前記脚部５を、矢印のように引き出し前記収容部３を所定の角度に位置決めして、一面を卓上Ｂに当接させることによって所定の角度を有して立てた姿勢で卓上Ｂに支持される。
【００３３】
なお、前記脚部５は、収容時は図８（Ａ）に示すように、前記凹部3cに収容された状態で保持され、また、図８（Ｂ）に示すように、前記リモコンホルダ２を卓上Ｂに所定の角度を有して立てた姿勢に支持した状態で位置決めされている。
【００３４】
卓上Ｂに設置された前記リモコンホルダ２は、図８（Ｃ）および図８（Ｄ）に示す斜視図のように、実施例１および実施例２の場合と同様に、卓上Ｂに対し所定の角度を有して設置されることになり、上述したように、卓上Ｂに置かれた新聞紙や雑誌などに埋もれて所在が不明になってしまうというおそれがなくなり、図９（Ａ）および図９（Ｂ）に示すような前記リモコン１が、斜め上方から視認しやすくなったり、また、前記リモコンホルダ２から取り外して容易に操作できるようになったり、図１３に基づいて上述したように、前記リモコンホルダ２の保持部３に保持されて卓上Ｂに立てた姿勢のまま、前記空気調和機８の受信部９に向けて操作しやすくなる。
くなる。
【実施例４】
【００３５】
次に、上記構成でなるリモコンホルダ２が、保持した前記リモコン１に所定の仰角をもたせるように室内壁面Ａに取り付けるようにした構成と、室内壁面Ａから取り外されて卓上Ｂに同様の仰角を有する姿勢で設置される動作とについて、実施例４として示す図１０（Ａ）乃至図１０（Ｂ）に基づいて以下に説明をする。
【００３６】
室内壁面Ａに取り付けられる前記リモコンホルダ２の背面に対し、前記保持部３に傾斜角θをもたせた構成にし、前記リモコンホルダ２の底面後部には突状の脚部５を設けた構成にする。
【００３７】
これにより、前記リモコンホルダ２が室内壁面Ａに取り付けられた際、前記傾斜角θにより、前記保持部３に保持された前記リモコン１が所定の仰角を有して室内壁面Ａに取り付けられる。
【００３８】
また、前記リモコンホルダ２が室内壁面Ａから取り外された場合も同様に、前記傾斜角θにより、前記保持部３に保持された前記リモコン１に所定の仰角をもたせるようにした姿勢で、前記リモコンホルダ２が卓上Ｂに設置される。
【実施例５】
【００３９】
次に、室内壁面Ａに取り付けられる前記リモコンホルダ２の背面に対し、前記保持部３に傾斜角θをもたせた構成にするとともに、前記リモコンホルダ２が、室内壁面Ａから取り外されて卓上Ｂに所定の角度を有して立てた姿勢で設置される動作について、前記凹部3cから前記脚部５の一部が引き出される手順と、卓上設置される手順とを実施例５として示す図１１（Ａ）乃至図１１（Ｄ）に基づいて以下に説明をする。
【００４０】
上記構成により、前記リモコンホルダ２が室内壁面Ａに取り付けられた際、前記傾斜角θにより、前記保持部３に保持された前記リモコン１が所定の仰角を有して室内壁面Ａに取り付けられる。
【００４１】
また、前記リモコンホルダ２が室内壁面Ａから取り外された場合は、前記傾斜角θにより、前記保持部３に保持された前記リモコン１に所定の仰角をもたせるようになり、また、図１１（Ａ）および図１１（Ｂ）に示すように、実施例１および実施例２の場合と同様に前記脚部５を枢支部5aを中心に回動させ、同脚部５の一部を前記凹部3cから引き出して所定の角度に位置決めして、その先端を卓上Ｂに当接させることによって所定の角度に立てた姿勢で卓上Ｂに支持される。
【００４２】
なお、前記脚部５は、収容時は図１１（Ａ）に示すように、前記凹部3cに収容された状態で保持され、また、図１１（Ｂ）に示すように、前記リモコンホルダ２を卓上Ｂに所定の角度を有して立てた姿勢に支持した状態で位置決めされている。
【００４３】
卓上Ｂに設置された前記リモコンホルダ２は、図１１（Ｃ）および図１１（Ｄ）に示す斜視図のように、前記傾斜角θと、回動して前記凹部3cから引き出された前記脚部５とによって卓上Ｂに対し所定の角度を有して設置されることになり、上述したように、卓上Ｂに置かれた新聞紙や雑誌などに埋もれて所在が不明になってしまうというおそれがなくなり、図１２（Ａ）および図１２（Ｂ）に示すような前記リモコン１が、斜め上方から視認しやすくなったり、また、前記リモコンホルダ２から取り外して容易に操作できるようになったり、図１３に基づいて上述したように、前記リモコンホルダ２の保持部３に保持されて卓上Ｂに所定の角度を有して立てた姿勢のまま、前記空気調和機８の受信部９に向けて操作しやすくなる。
【図面の簡単な説明】
【００４４】
【図１】本発明によるリモコンホルダの実施例１を示す説明図で、（Ａ）はリモコンを保持する保持部を正面側から見た斜視図であり、（Ｂ）は保持部を取り付ける取付部を正面側から見た斜視図である。
【図２】本発明によるリモコンホルダの実施例１を示す説明図で、（Ａ）はリモコンを保持する保持部を背面側から見た斜視図であり、（Ｂ）は保持部を取り付ける取付部を背面側から見た斜視図である。
【図３】本発明によるリモコンホルダの実施例１を示す説明図で、（Ａ）は取付部に保持部を取り付ける状態を示す断面図であり、（Ｂ）は取付部に保持部を取り付けた状態を示す断面図であり、（Ｃ）は取付部に保持部を取り付けた状態を示す斜視図であり、（Ｄ）は保持部でリモコンを保持した状態を示す斜視図である。
【図４】本発明によるリモコンホルダの保持部を卓上に立てるように設置する実施例１を示す説明図で、（Ａ）は保持部の背面下部から脚部を引き出す前の状態を示す断面図であり、（Ｂ）は保持部の背面下部から脚部を引き出した状態を示す断面図であり、（Ｃ）は保持部を卓上に立てるように設置した状態を示す正面側から見た斜視図であり、（Ｄ）は保持部を卓上に立てるように設置した状態を背面側から見た斜視図である。
【図５】本発明によるリモコンホルダの保持部を卓上に立てるように設置してリモコンを保持した実施例１を示す説明図で、（Ａ）は正面側から見た斜視図であり、（Ｂ）は背面側から見た斜視図である。
【図６】本発明によるリモコンホルダの保持部を卓上に立てるように設置する実施例２を示す説明図で、（Ａ）は保持部の背面下部から脚部を引き出す前の状態を示す断面図であり、（Ｂ）は保持部の背面下部から脚部を引き出した状態を示す断面図であり、（Ｃ）は保持部を卓上に立てるように設置した状態を示す正面側から見た斜視図であり、（Ｄ）は保持部を卓上に立てるように設置した状態を背面側から見た斜視図である。
【図７】本発明によるリモコンホルダの保持部を卓上に立てるように設置してリモコンを保持した実施例２を示す説明図で、（Ａ）は正面側から見た斜視図であり、（Ｂ）は背面側から見た斜視図である。
【図８】本発明によるリモコンホルダの保持部を卓上に立てるように設置する実施例３を示す説明図で、（Ａ）は保持部の背面下部から脚部を引き出す前の状態を示す断面図であり、（Ｂ）は保持部の背面下部から脚部を引き出した状態を示す断面図であり、（Ｃ）は保持部を卓上に立てるように設置した状態を示す正面側から見た斜視図であり、（Ｄ）は保持部を卓上に立てるように設置した状態を背面側から見た斜視図である。
【図９】本発明によるリモコンホルダの保持部を卓上に立てるように設置してリモコンを保持した実施例３を示す説明図で、（Ａ）は正面側から見た斜視図であり、（Ｂ）は背面側から見た斜視図である。
【図１０】本発明によるリモコンホルダの保持部を卓上に立てるように設置する実施例４を示す説明図で、（Ａ）は正面側から見た斜視図であり、（Ｂ）はリモコンを保持した状態を示す斜視図である。
【図１１】本発明によるリモコンホルダの保持部を卓上に立てるように設置する実施例５を示す説明図で、（Ａ）は保持部の背面下部から脚部を引き出す前の状態を示す断面図であり、（Ｂ）は保持部の背面下部から脚部を引き出した状態を示す断面図であり、（Ｃ）は保持部を卓上に立てるように設置した状態を示す正面側から見た斜視図であり、（Ｄ）は保持部を卓上に立てるように設置した状態を背面側から見た斜視図である。
【図１２】本発明によるリモコンホルダの保持部を卓上に立てるように設置してリモコンを保持した実施例５を示す説明図で、（Ａ）は正面側から見た斜視図であり、（Ｂ）は背面側から見た斜視図である。
【図１３】卓上に所定の角度を有して立てるように設置したリモコンの使用状態を示す斜視図である。
【符号の説明】
【００４５】
１  リモコン
1a  ガイド溝
1b  発信部
２  リモコンホルダ
３  保持部
3a  背面
3b  係止穴
3c  凹部
４  取付部
4a  係止爪
4b  挿通孔
５  脚部
5a  枢支部
６  ガイド
6a  突出片
７  ねじ
８  空気調和機
９  受信部
Ａ  室内壁面
Ｂ  卓上
θ  傾斜角
【図１】
2007174259.tif 000003
【図２】
2007174259.tif 000004
【図３】
2007174259.tif 000005
【図４】
2007174259.tif 000006
【図５】
2007174259.tif 000007
【図６】
2007174259.tif 000008
【図７】
2007174259.tif 000009
【図８】
2007174259.tif 000010
【図９】
2007174259.tif 000011
【図１０】
2007174259.tif 000012
【図１１】
2007174259.tif 000013
【図１２】
2007174259.tif 000014
【図１３】
2007174259.tif 000015